(57)【要約】【課題】被測定者に対する生体情報の測定が実行されている間に、本人であることの判別を実行するための識別情報である生体インピーダンスを取得することにより、被測定者以外の人物が摩り替わる不正な測定をより効果的に防止する。【解決手段】  予め測定された被測定者の生体インピーダンスを被測定者の識別情報として、被測定者を登録可能な登録手段と、被測定者の生体情報の測定を実行しながら、被測定者の生体インピーダンスを取得可能な測定手段と、を有する。また、測定手段が測定の実行中に取得した生体インピーダンスを、識別情報である登録済み生体インピーダンスと比較して、測定が実行された被測定者と、登録手段により登録された被測定者とが同一人物であるか否かの判別を実行する判別手段を有する。【選択図】図１
2013192860.tif 000002
【特許請求の範囲】
【請求項１】
予め測定された被測定者の生体インピーダンスを前記被測定者の識別情報として、前記被測定者を登録可能な登録手段と、
前記被測定者の生体情報の測定を実行しながら、前記被測定者の前記生体インピーダンスを取得可能な測定手段と、を有する構成としたこと
を特徴とする生体情報測定装置。
【請求項２】
前記測定手段は、前記被測定者の前記生体情報の取得を開始した後、前記生体情報の取得を終了するまでの間に、前記被測定者の生体インピーダンスの取得を開始する構成としたことを特徴とする請求項１に記載の生体情報測定装置。
【請求項３】
前記生体情報測定装置は、前記測定手段が前記測定の実行中に取得した生体インピーダンスを、前記識別情報である登録済み生体インピーダンスと比較して、前記測定が実行された前記被測定者と、前記登録手段により登録された被測定者とが同一人物であるか否かの判別を実行する判別手段を有する構成としたことを特徴とする請求項１又は請求項２に記載の生体情報測定装置。
【請求項４】
前記判別手段は、前記測定手段が前記測定の実行中に取得した生体インピーダンスを、前記識別情報である登録済み生体インピーダンスと、前記測定の実行中に比較することにより、前記測定が実行されている時に前記判別を実行することを特徴とする請求項３に記載の生体情報測定装置。
【請求項５】
前記測定手段は、前記被測定者が口にくわえて接触する口用電極、及び、前記被測定者が把持して接触する手用電極、を備え、前記口用電極及び前記手用電極間の電圧を測定して、前記被測定者の生体インピーダンスを取得可能な構成としたことを特徴とする請求項１乃至請求項４のうち、いずれか１に記載の生体情報測定装置。
【請求項６】
前記生体情報測定装置は、前記被測定者の前記生体情報として呼気中に含まれる成分の分析をする呼気分析装置であり、
前記測定手段は、前記被測定者による呼気の吹込みを検知したときに、前記被測定者の前記生体インピーダンスを取得可能な構成としたこと
を特徴とする請求項１乃至請求項５のうち、いずれか１に記載の生体情報測定装置。
【請求項７】
予め測定された被測定者の生体インピーダンスを前記被測定者の識別情報として、前記被測定者を登録可能な登録手段と、
前記被測定者の生体情報の測定を実行しながら、前記被測定者の生体インピーダンスを取得可能な測定手段と、
前記生体情報測定装置が前記測定の実行中に取得した生体インピーダンスを、前記識別情報である登録済み生体インピーダンスと比較して、前記測定が実行された前記被測定者と、前記登録手段により登録された被測定者とが同一人物であるか否かの判別を実行する判別手段と、を有する構成としたこと
を特徴とする生体情報測定システム。
【請求項８】
前記登録手段により登録された被測定者の中から、前記生体情報の測定をすべき被測定者を指定する指定手段を更に有し、
前記判別手段は、前記測定手段が前記測定の実行中に取得した生体インピーダンスを、前記識別情報である登録済み生体インピーダンスと比較して、前記測定が実行された前記被測定者と、前記指定手段により指定された被測定者とが同一人物であるか否かの判別を実行可能な構成としたことを特徴とする請求項７に記載の生体情報測定システム。
【請求項９】
予め測定された被測定者の生体インピーダンスを前記被測定者の識別情報として、前記被測定者を登録する登録工程と、
前記被測定者の生体情報の測定を実行しながら、前記被測定者の生体インピーダンスを取得する測定工程と、
前記測定工程で前記測定の実行中に取得した生体インピーダンスを、前記識別情報である登録済み生体インピーダンスと比較して、前記測定が実行された前記被測定者と、前記登録工程で登録された被測定者とが同一人物であるか否かの判別を実行する判別工程と、を有する構成としたこと
を特徴とする生体情報測定方法。
【発明の詳細な説明】
【技術分野】
【０００１】
本発明は、被測定者の呼気のアルコール濃度その他の生体情報を測定するための生体情報測定装置、生体情報測定システム、及び、生体情報測定方法に関する。
【背景技術】
【０００２】
運送事業分野等においては、運転者（被測定者）の飲酒運転を防止するための運行管理として、アルコール検知器を用いて被測定者の呼気のアルコール濃度の測定を行い、被測定者のアルコール摂取の有無を確認することが行われている。この測定は、被測定者の本人性確認のために測定者（管理者）が立ち会う対面形式で実施されることが好ましいが、被測定者が遠隔地で乗務を終了又は開始するような場合においては、測定者が対面形式で本人性確認を行うことができない場合もある。そのような場合の確認は、被測定者に携帯型のアルコール検知器を携行させ、それを用いて被測定者が行った測定の結果を、通信手段を介して測定者が受け取る形式で実施される。
【０００３】
しかしながら、被測定者とは別人である飲酒していない人物が、アルコール検知器に対して呼気の吹込みを行う、いわゆる替え玉による不正な測定が行われることがある。このため、たとえ被測定者本人が飲酒状態であったとしても、飲酒していないような測定結果となってしまうこととなり、替え玉による不正な測定を防止することが求められている。
【０００４】
この点、特許文献１では、被測定者に対する指紋認証を実行し（図１６のステップＳ２１８参照）、その認証に成功した場合には、被測定者が加えて接触する唇用電極と左手で接触する手用電極との間の電圧の減衰値Ｖ４、及び、指紋認証のため右手の指で接触する指用電極と左手で接触する手用電極との間の電圧の減衰値Ｖ５を、それぞれ被測定者ごとに事前に登録されている登録済みの減衰値Ｖ４及びＶ５と類似しているか否かを判断して同一人判定を行う、呼気アルコール測定装置を提案している。飲酒状態の運転者が指紋認証を行って、飲酒していない他人（替え玉）が呼気の吹込みを行った場合には、唇用電極及び手用電極間の人体抵抗と、指用電極及び手用電極間の人体抵抗のうちいずれかが異常に大きくなる結果、伝導率が異常な値となるため、上記のような同一人判定を伝導率に基づいて行うことができるとされている。
【先行技術文献】
【特許文献】
【０００５】
【特許文献１】特開２００９−２０１６９９号公報
【発明の概要】
【発明が解決しようとする課題】
【０００６】
しかしながら、特許文献１に記載の呼気アルコール測定装置は、吹込まれた呼気圧が所定圧力以上と判断する（図１７のステップＳ２４６）前に、前記伝導率による認証を実行するものである。従って、呼気の測定が開始される前に前記認証を行うものであるため、飲酒状態の運転者による認証が成功した直後に、即ち、認証ステップと測定ステップとの間に、飲酒していない他人が摩り替わって呼気を吹込み、測定を替わることができるものであって、替え玉による不正の防止は不十分である。
【０００７】
そこで本発明は、被測定者に対する生体情報の測定が実行されている間に、本人であることの判別を実行するための識別情報である生体インピーダンスを取得することにより、被測定者以外の人物が摩り替わる不正な測定をより効果的に防止可能な、生体情報測定装置、生体情報測定システム、及び、生体測定方法を提供することを目的とする。
【課題を解決するための手段】
【０００８】
上記課題を解決するために、本発明の生体情報測定装置は、予め測定された被測定者の生体インピーダンスを前記被測定者の識別情報として、前記被測定者を登録可能な登録手段と、前記被測定者の生体情報の測定を実行しながら、前記被測定者の前記生体インピーダンスを取得可能な測定手段と、を有する構成としたことを特徴とする。
【０００９】
また、本発明の生体情報測定装置における前記測定手段は、前記被測定者の前記生体情報の取得を開始した後、前記生体情報の取得を終了するまでの間に、前記被測定者の生体インピーダンスの取得を開始する構成としたことを特徴とする。
【００１０】
また、本発明の生体情報測定装置は、前記測定手段が前記測定の実行中に取得した生体インピーダンスを、前記識別情報である登録済み生体インピーダンスと比較して、前記測定が実行された前記被測定者と、前記登録手段により登録された被測定者とが同一人物であるか否かの判別を実行する判別手段を有する構成としたことを特徴とする。
【００１１】
また、本発明の生体情報測定装置における前記判別手段は、前記測定手段が前記測定の実行中に取得した生体インピーダンスを、前記識別情報である登録済み生体インピーダンスと、前記測定の実行中に比較することにより、前記測定が実行されている時に前記判別を実行することを特徴とする。
【００１２】
また、本発明の生体情報測定装置における前記測定手段は、前記被測定者が口にくわえて接触する口用電極、及び、前記被測定者が把持して接触する手用電極、を備え、前記口用電極及び前記手用電極間の電圧を測定して、前記被測定者の生体インピーダンスを取得可能な構成としたことを特徴とする
また、本発明の生体情報測定装置は、前記被測定者の前記生体情報として呼気中に含まれる成分の分析をする呼気分析装置であり、前記測定手段は、前記被測定者による呼気の吹込みを検知したときに、前記被測定者の前記生体インピーダンスを取得可能な構成としたことを特徴とする。
【００１３】
また、本発明の生体情報測定システムは、予め測定された被測定者の生体インピーダンスを前記被測定者の識別情報として、前記被測定者を登録可能な登録手段と、前記被測定者の生体情報の測定を実行しながら、前記被測定者の生体インピーダンスを取得可能な測定手段と、前記生体情報測定装置が前記測定の実行中に取得した生体インピーダンスを、前記識別情報である登録済み生体インピーダンスと比較して、前記測定が実行された前記被測定者と、前記登録手段により登録された被測定者とが同一人物であるか否かの判別を実行する判別手段と、を有する構成としたことを特徴とする。
【００１４】
また、本発明の生体情報測定システムは、前記登録手段により登録された被測定者の中から、前記生体情報の測定をすべき被測定者を指定する指定手段を更に有し、前記判別手段は、前記測定手段が前記測定の実行中に取得した生体インピーダンスを、前記識別情報である登録済み生体インピーダンスと比較して、前記測定が実行された前記被測定者と、前記指定手段により指定された被測定者とが同一人物であるか否かの判別を実行可能な構成としたことを特徴とする。
【００１５】
また、本発明の生体情報測定方法は、予め測定された被測定者の生体インピーダンスを前記被測定者の識別情報として、前記被測定者を登録する登録工程と、前記被測定者の生体情報の測定を実行しながら、前記被測定者の生体インピーダンスを取得する測定工程と、前記測定工程で前記測定の実行中に取得した生体インピーダンスを、前記識別情報である登録済み生体インピーダンスと比較して、前記測定が実行された前記被測定者と、前記登録工程で登録された被測定者とが同一人物であるか否かの判別を実行する判別工程と、を有する構成としたことを特徴とする。
【発明の効果】
【００１６】
本発明によれば、被測定者に対する生体情報の測定が実行されている間に、本人であることの判別を実行するための識別情報である生体インピーダンスを取得することにより、被測定者以外の人物が摩り替わる不正な測定をより効果的に防止することができる。
【図面の簡単な説明】
【００１７】
【図１】本発明に係る生体情報測定装置の構成を示す正面図である。
【図２】本発明に係る生体情報測定装置の使用状態を示す図である。
【図３】本発明に係る生体情報測定装置の構成を示すブロック図である。
【図４】本発明に係る生体情報測定装置の登録工程の流れを示すフローチャートである。
【図５】本発明に係る生体情報測定装置の測定工程及び判別工程の流れを示すフローチャートである。
【図６】本発明に係る生体情報測定システムの概略構成を示す概念図である。
【図７】本発明に係る生体情報測定システムの構成を示すブロック図である。
【発明を実施するための形態】
【００１８】
［第１実施形態：生体情報測定装置］
以下、本発明の第１実施形態である生体情報測定装置について、図面を参照しつつ説明する。図１は、本発明に係る生体情報測定装置の構成を示す正面図、図２は、本発明に係る生体情報測定装置の使用状態を示す図、図３は、本発明に係る生体情報測定装置の構成を示すブロック図である。
【００１９】
生体情報測定装置１００は、被測定者の生体情報の測定を実行しながら、被測定者の生体インピーダンスを取得可能な生体情報測定装置である。本実施形態では、一例として、被測定者の呼気中に含まれる成分の分析を実行する呼気分析装置、特にアルコールの濃度を測定可能なアルコール検知器として構成する場合を説明する。図１及び図３に示すように、生体情報測定装置１００は、制御部１０１、ガス検出部１１０、通信コネクタ１３０、表示部１４１、操作部１４２、電源スイッチ１４３、メモリ１４４、電源回路１４５、及び、生体インピーダンス測定部１４６を備える。
【００２０】
ガス検出部１１０は、被測定者の呼気中に含まれるアルコール（成分）の濃度（生体情報）を測定する生体情報測定部であって、図１に示すように、マウスピース１１１を備える。マウスピース１１１の両端には、吹込口１１２及び排気口１１３がそれぞれ形成されており、被測定者Ｐが吹込口１１２をくわえて息を吹込むと、不図示のセンサによって、マウスピース１１１内に吹込まれた呼気中のアルコール濃度が測定され、吹込まれた息は、排気口１１３から排出される。このガス検出部１１０は、一般のアルコール検出器に用いられる呼気分析のための構成を用いればよいため、詳細な説明は省略する。
【００２１】
生体インピーダンス測定部１４６は、口用電極１１５（通電電極１１５ａ、測定電極１１５ｂ）と、手用電極１４７（通電電極１４７ａ、測定電極１４７ｂ）と、電流発生回路１４８と、電流測定回路１４９と、を有する。
【００２２】
口用電極１１５は、通電電極１１５ａ及び測定電極１１５ｂを有し、マウスピース１１１の吹込口１１２の周面上に設けられ、図２に示すように、被測定者Ｐがマウスピース１１１の吹込口１１２をくわえた時に、被測定者Ｐの唇が通電電極１１５ａ及び測定電極１１５ｂに接触する。手用電極１４７は、通電電極１４７ａ及び測定電極１４７ｂを有し、生体情報測定装置１００の本体の外面上の任意の位置に設けられ、図２に示すように、被測定者Ｐが生体情報測定装置１００を片手で把持する時に、被測定者Ｐの手が通電電極１４７ａ及び測定電極１４７ｂに接触する。
【００２３】
通電電極１１５ａ、１４７ａは、電流発生回路１４８に接続されており、通電電極１１５ａに接触する被測定者Ｐの体の部位（唇）から被測定者の体内を通り、通電電極１４７ａに接触する被測定者Ｐの体の部位（手）に至るまでの経路（又はこの逆向きの経路）で、生体インピーダンス測定用の電流を供給するための電極である。
【００２４】
また、測定電極１１５ｂ、１４７ｂは、電圧測定回路１４９に接続されており、前記電流が供給されているときの、測定電極１１５ｂが接触する被測定者Ｐの体の部位（唇）と、測定電極１４７ｂが接触する被測定者Ｐの体の部位（手）との間の電圧を取得・測定するための電極である。
【００２５】
インピーダンス測定部１４６は、このような電流及び電圧の各値に基づいて、被測定者の生体インピーダンスを測定することができるようになっている。より具体的には、生体インピーダンス測定部１４６は、通電電極１１５ａ、１４７ａに接続されて高周波の微弱な定電流を供給する電流発生回路１４８と、測定電極１１５ｂ、１４６ｂに接続されて被測定者の電位差を測定するための電圧測定回路１４９と、を更に有する。これにより、電流発生回路１４８から供給される交流電流は、通電電極１１５ａ、１４７ａを介して被測定者の体内に供給され、測定電極１１５ｂ、１４７ｂを介して電圧測定回路１４９で電圧が測定されるようになっている。このように測定した電圧値及び供給した電流値に基づいて、制御部１０１は被測定者の生体インピーダンスを求めることができるようになっている。また、被測定者の生体インピーダンスは、ガス検出部１１０が被測定者Ｐによる呼気の吹込みを検知したときに、取得できるようになっている。
【００２６】
メモリ１４４は、揮発性メモリ（図示せず）及び不揮発性メモリ（図示せず）などによって構成される記憶手段である。揮発性メモリは、制御部１０１による処理等のための各種データを一時的に記憶し、電源オフによって記憶が消去される。揮発性メモリは、電源オフでも記憶が消去さないため、生体情報測定装置１００の制御プログラム、設定値等の保存に好適である。
【００２７】
特に、メモリ１４４は、予め測定された被測定者の生体インピーダンスを前記被測定者の識別情報として、被測定者を登録可能な登録手段として機能する。本発明による生体情報測定装置１００の初期設定として、生体情報測定装置１００により測定が行われる被測定者の識別情報を予め登録できるようになっている。識別情報は、被測定者の氏名、性別等、被測定者の本人性を確認可能な個人情報や、予め測定された被測定者の生体インピーダンス（登録済み生体インピーダンス）を含む。
【００２８】
制御部１０１は、生体情報測定装置１００の各構成部材の動作を制御する。制御部１０１は、本発明による生体情報測定装置１００を稼動するためにメモリ１４４に保存されているプログラムに基づいて、登録工程、測定工程、判別工程等の種々の処理を実行する。
本実施形態において、制御部１０１は、ガス検出部１１０及び生体インピーダンス測定部１４６とともに、被測定者Ｐの生体情報（呼気中のアルコール濃度）の測定を実行しながら、被測定者Ｐの生体インピーダンスを取得可能な測定手段として機能し、特に、被測定者Ｐの生体情報の取得を開始した後、前記生体情報の取得を終了するまでの間に、被測定者Ｐの生体インピーダンスの取得を開始する。また、制御部１０１は、測定の実行中に取得した生体インピーダンスを、識別情報である登録済み生体インピーダンスと比較して、測定が実行された被測定者と、登録手段（メモリ１４４）により登録された被測定者とが同一人物であるか否かの判別を実行する判別手段として機能する。
【００２９】
通信コネクタ１３０は、外部機器との双方向の通信を可能とする機器である。無線（例えば、赤外線通信、Ｗｉ−Ｆｉ（ｗｉｒｅｌｅｓｓ  ｆｉｄｅｌｉｔｙ：登録商標）等）で通信する形態でもよい。なお、通信コネクタ１３０に替えて又は加えて、記憶媒体を介して、外部機器とのデータのやりとりが可能な構成としてもよい。
【００３０】
表示部１４１は、例えば液晶ディスプレイやＥＬ素子であって、被測定者への指示、測定結果その他の情報を表示することができるようになっている。
操作部１４２は、複数の入力スイッチ１４２ａ及び１４２ｂからなる。被測定者及び測定者は、入力スイッチ１４２ａ、１４２ｂを用いて生体情報測定装置１００の各種設定、情報の入力等を行うことができるようになっている。
電源スイッチ１４３は、操作によって生体情報測定装置１００の電源オン・オフを行うことができるようになっている。なお、生体情報測定装置１００の電源オン・オフは、被測定者等が電源スイッチ１４３を操作することにより実行される他にも、ソフトウェアによって自動的に電源オン・オフが制御される形式でも良い。
【００３１】
電源回路１４５は、電池（バッテリー）などの電力供給源によって構成される電力供給手段であり、生体情報測定装置１００の各構成部材に、制御部１０１を介して電力を供給する。
【００３２】
次に、図４を参照しつつ、本発明の生体情報測定装置１００の登録工程（初期設定）の流れについて説明する。図４は、本発明に係る生体情報測定装置１００の登録工程の流れを示すフローチャートである。
【００３３】
生体情報測定装置１００の電源スイッチ１４３を操作して、電源をオンにして起動する（ステップＳ１）。
被測定者Ｐは、生体情報測定装置１００のメモリ１４４に対して、生体情報測定装置１００を用いて測定される被測定者Ｐの氏名、性別等、被測定者の本人性を確認可能な個人情報を、操作部１４２の操作等により入力する（ステップＳ２）。
【００３４】
制御部１０１は、口用電極１１５（通電電極１１５ａ、測定電極１１５ｂ）と、手用電極１４７（通電電極１４７ａ、測定電極１４７ｂ）と、のそれぞれに被測定者が接触したか否かを監視する（ステップＳ３）。被測定者による電極への接触を検知しなければ（ステップＳ３でＮｏ）、前記監視を繰り返す。なお、接触の検知方法は特に限定されないが、電流発生回路１４８により電流を供給し、通電電極１１５ａと通電電極１４７ａとが電気的に導通した時に、被測定者が接触したものと検知するように構成すればよい。
【００３５】
被測定者による電極への接触を検知したときは（ステップＳ３でＹｅｓ）、制御部１０１は、生体インピーダンスを取得する（ステップＳ４）。制御部１０１による制御のもと、電流発生回路１４８は、所定の微弱な交流の電流を供給すると、その電流は、通電電極１１５ａ（又は通電電極１４７ａ）から被測定者Ｐの唇（又は手）へ入り、被測定者Ｐの体内を通り、被測定者Ｐの手（又は唇）から通電電極１４７ａ（又は通電電極１１５ａ）へ、という経路で流れる。このときの測定電極１１５ｂ及び測定電極１４７ｂ間の電圧を、電圧測定回路１４９が測定するとともに、その測定結果を制御部１０１へ送る。制御部１０１は、測定した電圧値及び供給した電流値に基づいて被測定者Ｐの生体インピーダンスを取得する。
【００３６】
制御部１０１は、ステップＳ２で入力された個人情報に、ステップＳ４で取得された生体インピーダンスを対応させて、識別情報としてメモリ１４４に登録する（ステップＳ５）。その後、制御部１０１は、生体情報測定装置１００の電源をオフにして（ステップＳ６）、登録工程（初期設定）を終了する。このように、生体情報測定装置１００を用いて測定される被測定者のそれぞれについて、識別情報を予め登録しておくようにする。
【００３７】
次に、図５を参照しつつ、本発明の生体情報測定装置１００の測定工程及び判別工程の流れについて説明する。図５は、本発明に係る生体情報測定装置１００の測定工程及び判別工程の流れを示すフローチャートである。
【００３８】
生体情報測定装置１００の電源スイッチ１４３を操作して、電源をオンにして起動する（ステップＳ１０１）。
被測定者Ｐは、既にメモリ１４４において登録されている多数の被測定者リストの中から、これより生体情報の測定を開始する被測定者（自分自身）を指定し、制御部１０１は、指定された被測定者の登録されている識別情報を読み出す（ステップＳ１０２）。指定する方法は特に限定されるものではなく、例えば、自分自身の氏名等の個人情報を操作部１４２の操作等により入力したり、表示部１４１に表示された登録済みの被測定者のリストの中から被測定者Ｐが操作部１４２を操作して指定したりしてもよい。
【００３９】
制御部１０１は、口用電極１１５（通電電極１１５ａ、測定電極１１５ｂ）と、手用電極１４７（通電電極１４７ａ、測定電極１４７ｂ）と、のそれぞれに被測定者が接触したか否かを監視する（ステップＳ１０３）。被測定者による電極への接触を検知しなければ（ステップＳ１０３でＮｏ）、前記監視を繰り返す。
【００４０】
被測定者による電極への接触を検知したときは（ステップＳ１０３でＹｅｓ）、制御部１０１は、生体インピーダンスを取得する（ステップＳ１０４）。具体的には、前述した登録工程における生体インピーダンスの取得（ステップＳ４）と同様に実施する。
【００４１】
制御部１０１は、ステップＳ１０４において取得した生体インピーダンスと、前記指定により読み出された識別情報として登録されている登録済み生体インピーダンスと、の照合処理を実行する（ステップＳ１０５）。人は体組成（例えば体脂肪率、体水分量、筋肉量、除脂肪量、細胞内液量、細胞外液量など）が個人ごとに特性があるため、その特性に応じて生体インピーダンスも、人によって異なる値を示す。従って、被測定者それぞれの生体インピーダンスは、個人の識別情報として機能する。被測定者ごとに予め生体インピーダンスを識別情報として登録しておけば、その後、測定した生体インピーダンスと登録済み生体インピーダンスとを比較することにより、同一人の生体インピーダンスであるか、異なる者の生体インピーダンスであるか、を判別することができる。なお、判別の精度を向上させるために、異なる電流値による複数種類の電流を電流発生回路１４８から供給して、それぞれの場合についての電圧を電圧測定回路１４９で測定して、２つ以上の生体インピーダンスの値を用いて、照合を実施してもよい。なお、照合方法は特に限定されるものではなく、一例としては、ステップＳ１０４において取得した生体インピーダンスの値を、前記指定により読み出された識別情報として登録されている登録済み生体インピーダンスの値を直接対比して、同一人と看做し得る所定範囲内の差異か否かで照合の成否を決定したり、生体インピーダンスの値に基づく比較処理のために加工した値同士で照合を実施したりしてもよい。
【００４２】
生体インピーダンスの照合に成功した場合（ステップＳ１０６でＹｅｓ）は、制御部１０１は、生体情報測定装置１００を測定待機モードに移行させて、生体情報測定装置１００は測定待機モードに移行する（ステップＳ１０７）。
【００４３】
一方、生体インピーダンスの照合に失敗した場合（ステップＳ１０６でＮｏ）、認証エラーとして、所定のエラー処理（ステップＳ１１６）を実行する。エラー処理は、例えば、生体情報測定装置１００の表示部１４１に、例えば「本人認証に失敗しました」等のメッセージを表示部１４１に表示すればよい。また、一定時間メッセージを表示後、制御部１０１は、生体情報測定装置１００の電源をオフにする（ステップＳ１１７）。
【００４４】
生体情報測定装置１００は、測定待機モードとなると（ステップＳ１０７）、被測定者Ｐによる呼気の吹込みを検知したか否かを判断する（ステップＳ１０８）。吹込みが検知されない場合（ステップＳ１０８でＮｏ）において、制御部１０１は、測定待機モード開始からの時間を計測し、測定待機モード開始からの経過時間が予めメモリ１４４に保存した待機時間に達したか否かを判断する（ステップＳ１０９）。このとき、表示部１４１には、例えば「測定を開始します。息を吹込んで下さい」等の、測定の開始を促すメッセージを表示するとよい。
【００４５】
生体情報測定装置１００の制御部１０１は、吹込口１１２への呼気の吹込みが検知されない間（ステップＳ１０８でＮｏ）は、測定待機モード開始からの経過時間が、予め設定した待機時間に到達しているか否かの監視を継続する（ステップＳ１０９）。制御部１０１は、経過時間が前記待機時間に到達していない場合（ステップＳ１０９でＮｏ）は、ステップＳ１０８に戻り、呼気吹込みの検知の監視を継続する。
【００４６】
生体情報測定装置１００の制御部１０１は、被測定者Ｐが吹込口１１２に息を吹込んだことを検知した場合（ステップＳ１０８でＹｅｓ）、生体情報測定装置１００は、呼気測定モード（ステップＳ１１０）を開始する。
【００４７】
これに対して、吹込口１１２への呼気の吹込みが検知されず（ステップＳ１０８でＮｏ）、かつ、前記経過時間が前記待機時間に到達した場合（ステップＳ１０９でＹｅｓ）、測定開始の意思が無いものとして、測定待機モードを終了し、エラー処理（ステップＳ１１６）を実行する。この場合のエラー処理としては、例えば、「待機時間が終了」した旨のメッセージを、生体情報測定装置１００の表示部１４１に表示すればよい。また、一定時間メッセージを表示後、制御部１０１は、生体情報測定装置１００の電源をオフにする（ステップＳ１１７）。
【００４８】
呼気測定モード（ステップＳ１１０）、即ち、被測定者の生体情報の測定、が開始されると、生体情報測定装置１００の制御部１０１は、測定（呼気分析）のために必要な吹込み時間（測定時間）が経過するまで、被測定者による吹込口１１２への吹込みが継続されているか否かを監視する（ステップＳ１１１）。
【００４９】
呼気の吹込みが、測定時間の経過前に中断された場合（ステップＳ１１１でＮｏ）、エラー処理を実行する（ステップＳ１１６）。この場合のエラー処理としては、例えば、吹込みが測定時間経過前に中断したため測定を終了する旨を、生体情報測定装置１００の表示部１４１に表示すればよい。また、一定時間メッセージを表示後、制御部１０１は、生体情報測定装置１００の電源をオフにする（ステップＳ１１７）。
【００５０】
吹込みが継続している場合（ステップＳ１１１でＹｅｓ）、ステップＳ１０４と同様にして、制御部１０１は、生体インピーダンスを取得する（ステップＳ１１２）。即ち、被測定者Ｐの生体情報の測定を実行しながら、被測定者Ｐの生体インピーダンスを取得する測定工程が実行される。これにより、被測定者Ｐの生体情報の取得を開始した後、生体情報の取得を終了するまでの間に、被測定者Ｐの生体インピーダンスの取得が開始されるようになっている。
【００５１】
さらに、ステップＳ１０５と同様にして、制御部１０１は、ステップＳ１１２において取得した生体インピーダンスと、前記指定により読み出された識別情報として登録されている登録済み生体インピーダンスと、の照合処理を実行する（ステップＳ１１３）。即ち、測定工程における測定の実行中に取得した生体インピーダンスを、識別情報である登録済み生体インピーダンスと比較して、測定が実行された被測定者Ｐと、登録工程で登録された被測定者Ｐとが同一人物であるか否かの判別を実行する判別工程が実行される。また、この判別工程は、測定の実行中に取得した生体インピーダンスを、識別情報である登録済み生体インピーダンスと、測定の実行中に比較することにより、測定が実行されている時に同一人物であるか否かを判別する工程でもある。
【００５２】
ガス検出部１１０は、吹込みによって採取した呼気からアルコール濃度を測定しておき、生体インピーダンスの照合に成功した場合（ステップＳ１１４でＹｅｓ）は、制御部１０１は、表示部１４１に、測定結果を表示する（ステップＳ１１５）。前記測定結果を一定時間表示後、制御部１０１は、生体情報測定装置１００の電源をオフにする（ステップＳ１１７）。一方、生体インピーダンスの照合に失敗した場合（ステップＳ１１４でＮｏ）、認証エラーとして、所定のエラー処理（ステップＳ１１６）を実行する。
【００５３】
以上のように構成されたことから、本発明による生体情報測定装置１００によれば、次の効果を奏する。
（１）呼気測定モード（ステップＳ１１０）に移行して呼気の吹込みが継続している時（ステップＳ１１１）、即ち、生体情報の測定を実行しながら、被測定者Ｐの生体インピーダンスを取得し（ステップＳ１１２）、このように取得された生体インピーダンスを、登録済みインピーダンス（識別情報）と比較するので、本来測定されるべき被測定者から、他の人物に摩り替わるタイミングを生じない構成であり、いわゆる替え玉による不正な測定をより効果的に防止することができる。
（２）登録手段、測定手段、及び、判別手段の総てを生体情報測定装置１００によって一体的に構成しているため、測定者が対面形式で本人性確認を行うことができない場合においても、被測定者自身で簡便に測定することが可能となる。
【００５４】
［第１実施形態の変形例１］
上記の第１実施形態では、生体インピーダンスの取得及び照合処理を、測定開始前及び測定中のそれぞれで実施する例を説明した（図５のステップＳ１０４、Ｓ１０５、Ｓ１１２、Ｓ１１３参照）が、本発明はこれに限定されるものではない。被測定者の生体情報の測定中に取得された生体インピーダンスに基づいて、生体インピーダンスの照合処理（図４のステップＳ１１２、Ｓ１１３参照）を実行し、測定開始前における生体インピーダンスの照合処理（図４のステップＳ１０５参照）は省略した生体情報測定装置として構成することも可能である。測定開始前に生体インピーダンスの照合処理を実行したとしても、その直後、測定開始前に、被測定者が摩り替わる可能性は払拭できず、替え玉による不正な測定を防ぐことはできないが、被測定者の生体情報の測定中に、生体インピーダンスの照合処理を実行すれば、そのような不正な測定を防止できるからである。
【００５５】
［第１実施形態の変形例２］
上記の第１実施形態において実行される判別は、図５のステップＳ１０２において、被測定者Ｐ自身によって、生体インピーダンスの照合対象となる自己の識別情報を指定し、ステップＳ１１３では、その被測定者Ｐの指定により読み出された識別情報として登録されている登録済みインピーダンスと、ステップＳ１１２において取得した生体インピーダンスとの照合がなされるものであった。本発明は、これに限定されるものではなく、図５のステップＳ１０２を省略し、被測定者Ｐによる指定を要しない構成としてもよい。この場合、図５のステップＳ１１３において実行される照合処理は、制御部１０１は、ステップＳ１１２において取得した生体インピーダンスと、登録手段（メモリ１４４）において識別情報として登録されている総ての登録済みインピーダンスと、を比較して、測定が実行された被測定者Ｐと同一人物と看做せる、登録手段により登録された被測定者が存在するか否かの判別を実行すればよい。
【００５６】
［第１実施形態の変形例３］
上記の第１実施形態では、測定の実行中に取得した生体インピーダンスを、識別情報である登録済み生体インピーダンスと、測定の実行中に比較することにより、測定が実行されている時に同一人物であるか否かを判別する例を説明したが、本発明は、これに限定されるものではない。測定工程における測定の実行中に取得した生体インピーダンスと、生体情報測定装置１００が測定した生体情報（呼気中のアルコール濃度）の測定結果と、を同期させて一時的にメモリ１４４にて保存しておき、測定者（管理者）により要求された時に、事後的に生体インピーダンスの照合処理が実行されるように構成することも可能である。
【００５７】
［第１実施形態の変形例４］
上記の第１実施形態による生体情報測定装置１００においては、制御部１０１が、測定の実行中に取得した生体インピーダンスを、識別情報である登録済み生体インピーダンスと比較して、測定が実行された被測定者と、登録手段（メモリ１４４）により登録された被測定者とが同一人物であるか否かの判別を実行する判別手段として機能する構成について説明したが、本発明はこれに限定されない。生体情報測定装置１００の制御部１０１が判別手段として機能するのではなく、測定の実行中に取得した生体インピーダンスを、生体情報測定装置１００から別の端末機（例えばパーソナルコンピュータ）に出力して、その端末機が、測定の実行中に取得した生体インピーダンスを、識別情報である登録済み生体インピーダンスと比較して、測定が実行された被測定者と、登録手段（メモリ１４４）により登録された被測定者とが同一人物であるか否かの判別を実行する前記判別手段として機能するように構成してもよい。少なくとも、本変形例４による生体情報測定装置によれば、測定の実行中に取得した生体インピーダンスを取得することが可能であり、その測定が被測定者本人に対して実行されたものであるのかを検証できるため、替え玉による不正な測定を防止することができる。
【００５８】
［第２実施形態：生体情報測定システム］
以下、図６及び図７を参照して、本発明に係る第２実施形態である生体情報測定システムについて説明する。図６は、本発明に係る生体情報測定システムの概略構成を示す概念図、図７は、発明に係る生体情報測定システムの構成を示すブロック図である。
【００５９】
図６及び図７に示すように、生体情報測定システム１０は、生体情報測定装置１００と、生体情報測定装置１００の通信コネクタ１３０を介して相互に通信可能に接続された第１端末機２００と、第１端末機２００と相互に通信可能な第２端末機３００と、を備える。
【００６０】
生体情報測定システム１０に用いる生体情報測定装置１００は、上述の第１実施形態における生体情報測定装置１００と同じ構成を有するため、図６及び図７においては同じ符号を付してその詳細な説明は省略する。第１実施形態における生体情報測定装置１００には登録手段、測定手段、及び、判別手段の総てを備えるように構成した例を説明したが、第２実施形態における生体情報測定システム１０に用いる生体情報測定装置１００は測定手段として機能し、登録手段及び判別手段は第２端末機３００に備えられるものである。即ち、生体情報測定システム１０に用いる生体情報測定装置１００は、被測定者の生体情報の測定を実行しながら、被測定者の生体インピーダンスを取得可能な測定手段である。
【００６１】
図７に示すように、第１端末機２００は、制御部２０１、演算部２１０、通信部２３０、ディスプレイ２４１、入力部２４２、記憶部２４３、及び、電源部２４４を備える。第１端末機２００は、第２端末機３００から受信した信号を生体情報測定装置１００に対して中継したり、生体情報測定装置１００が測定した被測定者の測定データを受け取り、第２端末機３００に送信したりする機能等を備える端末機である。
【００６２】
第１端末機２００は、汎用のパーソナルコンピュータを用いることができ、特に、移動先で被測定者Ｐが使用することを考慮して、持ち運び可能なノート型パーソナルコンピュータ、ＰＤＡ（Ｐｅｒｓｏｎａｌ  Ｄｉｇｉｔａｌ  Ａｓｓｉｓｔａｎｔ）等の携帯端末機を用いることが好適である。
【００６３】
制御部２０１は、第１端末機２００の各構成部材の動作を制御する。演算部２１０は、制御部２０１の指示に従って所定の演算を実行する。
【００６４】
通信部２３０は、生体情報測定装置１００の通信コネクタ１３０、及び、第２端末機３００の通信部３３０と、それぞれ双方向に通信可能である。通信部２３０は、無線又は有線形式の何れでもよい。通信部２３０と通信部３３０との間では、第２端末機３００から第１端末機２００又は生体情報測定装置１００への各種制御命令、生体測定装置１００が測定した被測定者Ｐの生体情報、生体インピーダンス等の送受信が行われる。通信部２３０と通信コネクタ１３０との間では、生体情報測定装置１００への各種制御命令、生体測定装置１００が測定した被測定者Ｐの生体情報や生体インピーダンス等が送受信される。
【００６５】
ディスプレイ２４１は、制御部２０１の制御によって所定の情報、例えば、被測定者Ｐの生体情報の測定結果や個人情報等を表示することができるようになっている。
入力部２４２は、キーボード、マウス、及びタッチパネル等の入力手段であり、測定者の操作に対応した信号を制御部２０１に対して出力する。
【００６６】
記憶部２４３は、揮発性メモリ（図示せず）、不揮発性メモリ（図示せず）などによって構成される記憶手段である。揮発性メモリは、制御部２０１による処理等のための各種データを一時的に記憶し、電源オフによって記憶が消去される。また、演算部２１０の演算処理時の記憶領域としても機能する。不揮発性メモリは、電源オフでも記憶が消去さないため、長期保存すべきデータの記憶に利用される。電源部２４４は、電池（バッテリー）などの電力供給源によって構成される電力供給手段であり、第１端末機２００の各構成部材に対して、制御部２０１を介して電力を供給する。
【００６７】
図７に示すように、第２端末機３００は、制御部３０１、演算部３１０、通信部３３０、ディスプレイ３４１、入力部３４２、記憶部３４３、及び、電源部３４４を備える。第２端末機３００は、測定を管理する本部等に設置され、生体情報測定装置１００に対する動作指示、第１端末機２００への各種制御指示、生体情報測定装置１００が測定した測定結果の受信及び保存の保存、生体インピーダンスの照合処理、等を行う機能を有する。第２端末機３００は、生体情報測定装置１００や第１端末機２００を用いる場所とは異なる場所に設置するため、被測定者Ｐが直接操作することはできないことから、セキュリティを高く保つことが可能である。
【００６８】
第２端末機３００は、生体情報測定装置１００及び第１端末機２００を統括する処理を行うことから、汎用のパーソナルコンピュータを用いることが好適である。
【００６９】
演算部３１０は、制御部３０１の指示に従って所定の演算を行う。例えば、受信した生体情報の集計等を行う。
【００７０】
通信部３３０は、第１端末機２００の通信部２３０と通信を行うための装置である。通信部３３０は、無線又は有線形式の何れでもよい。通信部２３０から通信部３３０への受信データは、例えば、被測定者Ｐの生体情報の測定結果や生体インピーダンスなどである。通信部３３０から通信部２３０への送信データは、例えば、測定すべき被測定者を指示する信号や、第１端末機２００等に対する各種制御命令などである。
【００７１】
ディスプレイ３４１は、制御部３０１の制御によって所定の情報を表示する表示手段である。
入力部３４２は、キーボード、マウス、及びタッチパネル等からなり、測定者の操作に対応した信号を制御部３０１に対して出力する。
電源部３４４は、電池（バッテリー）などの電力供給源によって構成される電力供給手段であり、第２端末機３００の各構成部材に、制御部３０１を介して電力を供給する。
【００７２】
記憶部３４３は、揮発性メモリ（図示せず）、不揮発性メモリ（図示せず）などによって構成される記憶手段である。揮発性メモリは、制御部３０１による処理等のための各種データを一時的に記憶、電源オフによって記憶が消去される。また、制御部３０１及び演算部３１０による制御処理や演算処理時の記憶領域としても機能する。不揮発性メモリは、電源オフでも記憶が消去さないため、長期保存すべきデータの記憶に利用される。例えば、システムを用いて測定される被測定者の氏名、性別等、被測定者の本人性を確認可能な情報、過去の測定結果・判別結果、各種の閾値、生体情報、及び、本発明による生体情報測定システム１０を稼動するためのプログラム、その他のプログラム、の記憶などに用いることができる。
特に、記憶部３４３は、予め測定された被測定者の生体インピーダンスを前記被測定者の識別情報として、被測定者を登録可能な登録手段として機能する。登録手段としての機能内容は、第１実施形態における生体情報測定装置１００のメモリ１４４と同様である。
【００７３】
制御部３０１は、第２端末機３００の各構成部材の動作を制御する。また、制御部３０１は、本発明による生体情報測定システム１０を稼動するために記憶部３４３に保存されているプログラムに基づいて、以下の通り、登録手段、判別手段、更には、指定手段として、種々の処理を実行する。
【００７４】
制御部３０１は、生体情報測定装置１００による測定の実行中に取得した生体インピーダンスを、識別情報である登録済み生体インピーダンスと比較して、測定が実行された被測定者と、登録手段（記憶部３４３）により登録された被測定者とが同一人物であるか否かの判別を実行する判別手段として機能する。判別手段としての機能内容は、第１実施形態における生体情報測定装置１００の制御部１０１と同様である。
【００７５】
さらに、制御部３０１は、登録手段（記憶部３４３）により登録された被測定者の中から、生体情報（呼気中のアルコール濃度）の測定をすべき被測定者を指定する指定手段、及び、測定の実行中に取得した生体インピーダンスを、識別情報である登録済み生体インピーダンスと比較して、測定が実行された被測定者と、前記指定された被測定者とが同一人物であるか否かの判別を実行可能な判別手段、として機能する。即ち、図５のステップＳ１０２において、第２端末機３００を操作するオペレータ（管理者・測定者）が、既に記憶部３２３において登録されている多数の被測定者の中から、これより生体情報の測定を開始する被測定者を指定し、制御部３０１は、指定された被測定者の登録されている識別情報を読み出す。制御部３０１は、ステップＳ１１２において取得した生体インピーダンスと、前記指定により読み出された識別情報として登録されている登録済み生体インピーダンスと、の照合処理を実行すればよい。
【００７６】
［第２実施形態の変形例１］
前述した第２実施形態における生体情報測定システム１０に用いる生体情報測定装置１００は測定手段として機能し、登録手段及び判別手段は第２端末機３００に備えられる構成を説明したが、本発明はこれに限定されない。登録手段及び判別手段が第１端末機２００に備えられる構成であってもよい。また、生体情報測定装置１００が測定手段及び登録手段として機能し、第１端末機２００又は第２端末機３００が判別手段として機能する構成であってもよい。
【００７７】
上述の第１実施形態や第２実施形態（変形例を含む。）においては、被測定者の生体情報は呼気のアルコール濃度として説明したが、本発明はこれに限定されるものではなく、例えば、血圧、脈拍、身長、体重、体脂肪、骨密度等、個人を特定して測定すべき生体情報に広く用いることが可能である。
【００７８】
本発明について上記実施形態を参照しつつ説明したが、本発明は上記実施形態に限定されるものではなく、改良の目的又は本発明の思想の範囲内において改良又は変更が可能である。
【産業上の利用可能性】
【００７９】
以上のように、本発明に係る生体情報測定システムは、測定者と被測定者が別の場所にいるときの不正行為の防止に有用である。
【符号の説明】
【００８０】
１０      生体情報測定システム
１００    生体情報測定装置
１０１    制御部
１１０    ガス検出部
１１１    マウスピース
１１２    吹込口
１１３    排気口
１１５    口用電極
１１５ａ  通電電極
１１５ｂ  測定電極
１３０    通信コネクタ
１４１    表示部
１４２    操作部
１４３    電源スイッチ
１４４    メモリ
１４６    生体インピーダンス測定部
１４７    手用電極
１４７ａ  通電電極
１４７ｂ  測定電極
１４８    電流発生回路
１４９    電圧測定回路
２００    第１端末機
２０１    制御部
２１０    演算部
２３０    通信部
２４１    ディスプレイ
２４２    入力部
２４３    記憶部
２４４    電源部
３００    第２端末機
３０１    制御部
３１０    演算部
３３０    通信部
３４１    ディスプレイ
３４２    入力部
３４３    記憶部
３４４    電源部
Ｐ        被測定者
【図１】
2013192860.tif 000003
【図２】
2013192860.tif 000004
【図３】
2013192860.tif 000005
【図４】
2013192860.tif 000006
【図５】
2013192860.tif 000007
【図６】
2013192860.tif 000008
【図７】
2013192860.tif 000009